(57)【要約】【課題】  演奏者の呼気を安定して検出することができる電気吹奏楽器の入力構造を提供すること。【解決手段】  電気吹奏楽器１０は、頭部管形成体１９を含むフルート形成体１１と、演奏者Ｐの呼気の圧力を検知して電気信号を出力する変換装置１６と、この変換装置１６に前記呼気を案内する案内部材１３と、この案内部材１３と頭部管形成体１９とを連結する連結部１７とを備えている。案内部材１３は、呼気の吹き出し方向に沿って軸線方向が位置する本体筒２０と、この本体筒２０の一端側に形成され、演奏者Ｐの唇から離れて配置される第１の開口部２１と、本体筒２０の他端側に形成されて第１の開口部２１から前記変換装置１６に流れる呼気が通過する第２の開口部２２とを備えている。前記本体筒２０は、一端側から他端側に向かうに従って次第に開口面積が小さくなる形状に設けられている。【選択図】      図１
2007017524.tif 000002
【特許請求の範囲】
【請求項１】
呼気の圧力を検知して電気信号を出力する変換装置と、この変換装置に前記呼気を案内する案内部材とを有する電気吹奏楽器の吹奏情報の入力構造であって、
前記案内部材は、前記呼気の吹き出し方向に沿って軸線方向が位置する本体筒と、この本体筒の一端側に形成されるとともに、演奏者の唇から離れて配置される第１の開口部と、本体筒の他端側に形成されて第１の開口部から前記変換装置に流れる呼気が通過する第２の開口部とを含み、
前記本体筒は、一端側から他端側に向かうに従って次第に開口面積が小さくなる形状を備えていることを特徴とする電気吹奏楽器の吹奏情報の入力構造。
【請求項２】
前記本体筒はメガフォン状に設けられ、その軸線長さが第１の開口部の最大内径より長く設定されていることを特徴とする請求項１記載の電気吹奏楽器の吹奏情報の入力構造。
【請求項３】
前記電気吹奏楽器は、筒状若しくは柱状の頭部管形成体と、当該頭部管形成体と前記案内部材とを連結する連結部とを備え、
前記連結部は、頭部管形成体と案内部材との相対位置を調整可能に設けられていることを特徴とする請求項１又は２記載の電気吹奏楽器の吹奏情報の入力構造。
【請求項４】
前記頭部管形成体の外周面にはリッププレートが設けられ、このリッププレートは、前記第１の開口部の近傍に位置するとともに、前記案内部材に非干渉となる形状に設けられていることを特徴とする請求項３記載の電気吹奏楽器の吹奏情報の入力構造。
【発明の詳細な説明】
【技術分野】
【０００１】
本発明は、電気吹奏楽器の吹奏情報の入力構造に係り、更に詳しくは、演奏者の呼気を良好に検知することができる電気吹奏楽器の吹奏情報の入力構造に関する。
【背景技術】
【０００２】
近時、演奏操作を入力として電気信号を出力し、当該出力に基づいて電気音を再生可能な種々の電気楽器が普及するに至っている。ここで、例えば、フルートと同様の吹奏操作により入力を行える電気楽器を構成する場合、その呼気を検知する構造として特許文献１に開示されるタイプのものが知られている。同文献において、フルートタイプの電気楽器は、頭部管を含む管体と、頭部管に設けられた吹き口と、この吹き口の周辺であって頭部管の内面側に設けられたセンサとを備えている。センサは、演奏者の呼気の圧力を検知し、この検知信号を所定制御することにより電気音を再生するようになっている。
【０００３】
【特許文献１】特開平７−１９９９１９号公報
【発明の開示】
【発明が解決しようとする課題】
【０００４】
しかしながら、特許文献１の構造にあっては、アコーステッィクタイプのフルートと同様に演奏すると、センサによって呼気の検知を行うことが困難になる、という不都合を招来する。これは、一般に、フルートの演奏では開放空間に息を吹き付けるので呼気の圧力変化が小さくなる他、管体の一端側が開放しているので、センサに達する呼気の圧力が吹き出し時より低下し易くなることに起因する。
【０００５】
［発明の目的］
本発明は、このような不都合に着目して案出されたものであり、その目的は、演奏者の呼気の検出を安定して行うことができる電気吹奏楽器の吹奏情報の入力構造を提供することにある。
【課題を解決するための手段】
【０００６】
前記目的を達成するため、本発明は、呼気の圧力を検知して電気信号を出力する変換装置と、この変換装置に前記呼気を案内する案内部材とを有する電気吹奏楽器の吹奏情報の入力構造であって、
前記案内部材は、前記呼気の吹き出し方向に沿って軸線方向が位置する本体筒と、この本体筒の一端側に形成されるとともに、演奏者の唇から離れて配置される第１の開口部と、本体筒の他端側に形成されて第１の開口部から前記変換装置に流れる呼気が通過する第２の開口部とを含み、
前記本体筒は、一端側から他端側に向かうに従って次第に開口面積が小さくなる形状を備える、という構成が採用されている。
【０００７】
本発明において、前記本体筒はメガフォン状に設けられ、その軸線長さが第１の開口部の最大内径より長く設定されることが好ましい。
【０００８】
また、前記電気吹奏楽器は、筒状若しくは柱状の頭部管形成体と、当該頭部管形成体と前記案内部材とを連結する連結部とを備え、
前記連結部は、頭部管形成体と案内部材との相対位置を調整可能に設けられる、という構成も好ましくは採用される。
【０００９】
更に、前記頭部管形成体の外周面には奏者の唇を着座させるためのリッププレートが設けられ、このリッププレートは、前記第１の開口部の近傍に位置するとともに、前記案内部材に非干渉となる形状に設けられる、という構成を採ることが好ましい。
【発明の効果】
【００１０】
本発明によれば、本体筒内を呼気が通過することにより、呼気の圧力を吹き出し時より増大させて変換装置に検知させることができる。これにより、フルートのように呼気の圧力変化が小さくても、当該呼気の圧力やその変化を変換装置により簡単且つ安定的に検出でき、極めて簡単な構造により再生される音の音質を向上することが可能となる。
【００１１】
また、連結部により案内部材の位置を調整可能としたので、演奏者が吹奏し易く、呼気の圧力検知が良好に行えるように案内部材を容易にセットすることができる。
【００１２】
更に、案内部材に非干渉となるリッププレートを頭部管形成体に設けたので、アコースティックタイプのフルートのように唇及びその周辺をリッププレートに当てた状態で吹奏することができ、演奏感をより安定させることが可能となる。
【００１３】
なお、本明細書及び特許請求の範囲において、「開口面積」とは、本体筒の軸線に直交する面で断面視した場合における当該本体筒の内側の面積を意味する。
【発明を実施するための最良の形態】
【００１４】
以下、本発明の好ましい実施の形態について図面を参照しながら説明する。
【００１５】
図１には、実施形態に係る電気吹奏楽器を一部断面視した正面図が示され、図２には、図１の部分右側面図が示されている。これらの図において、電気吹奏楽器１０は、いわゆるアコースティックタイプのフルートと略同様の構造をなすフルート形成体１１と、このフルート形成体１１に設けられたリッププレート１２の近傍に位置する案内部材１３と、この案内部材１３にホース等からなる流通路１５を介して接続された変換装置１６と、案内部材１３とフルート形成体１１とを連結する連結部１７とを備えて構成されている。
【００１６】
前記フルート形成体１１は、円筒状若しくは円柱状に形成された頭部管形成体１９と、この頭部管形成体１９の図２中右側に位置する図示しない主管及び足部管形成体とを備えて構成されている。前記主管及び足部管形成体は、頭部管形成体１９と略同一軸線上に沿って延びる円筒状若しくは円柱状に形成されている。また、主管及び足部管形成体は、後述する制御装置に接続される複数のキー（図示省略）を外周面側に備えており、各キーは演奏者Ｐの指先により押圧等の操作ができるようになっている。
【００１７】
前記リッププレート１２は、頭部管形成体１９の図１中上部側から演奏者Ｐ側に向かって当該頭部管形成体１９の外周面に沿うように設けられ、演奏時に演奏者Ｐの下唇Ｐ１及びその周辺が接触するようになっている。リッププレート１２は、アコースティックタイプのフルートに用いられるリッププレート、すなわち、平面視で小判状をなすプレートの図１中二点鎖線Ｌ１で示す領域を切り欠いたような形状を備えて前記案内部材１３に非干渉に設定されている。なお、図１のように、リッププレート１２及び頭部管形成体１９に対して同図中二点鎖線Ｌ２で示す位置に、フルートの唄口と同様の位置及び形状をなす穴若しくは切欠を形成してもよい。
【００１８】
前記案内部材１３は、メガフォン状に設けられた本体筒２０と、この本体筒２０の一端側すなわち図１中右上端側に形成された第１の開口部２１と、本体筒２０の他端側すなわち同図中左下端側に形成された第２の開口部２２とを備え、演奏者Ｐの呼気圧を変換装置１６に案内可能に設けられている。
【００１９】
前記本体筒２０は、第１の開口部２１から第２の開口部２２に向かうに従って次第に開口面積が小さくなる先細形状を備えている。本体筒２０は、その軸線方向が演奏者Ｐの呼気の吹き出し方向Ｆ（図１中左斜め下方向）に沿うように配置され、第１の開口部２１に吹き込まれる呼気が第２の開口部２２を通過するようになっている。また、本体筒２０の軸線長さＣ１は、第１の開口部２１の最大内径Ｄ１より長く設定されており、特に限定されるものでないが、前記最大内径Ｄ１の約３倍に設定される。
【００２０】
前記変換装置１６は、ここでは、詳細な構造を省略するが、気圧センサにより構成されており、第２の開口部２２を通過して流れ込む呼気の圧力を検知する機能と、検知した圧力に応じて変化する電気信号を出力する機能とを備えている。変換装置１６から出力された電気信号は、所定の配線構造を介して接続された制御装置３０に入力される。
【００２１】
前記制御装置３０は、変換装置１６の電気信号をパラメータとした電気音を再生すべく所定処理し、当該処理した信号をアンプやスピーカ等を含む再生装置（図示省略）に出力可能に設けられている。制御装置３０としては、積分回路及びローパスフィルター回路を備えたものが例示でき、積分回路にて変換装置１６の電気信号を風速情報に変換した信号を出力し、その信号をローパスフィルター回路にて安定した吹奏風速に近いパラメータを検出する。具体的には、積分回路は、吹奏の立ち上がりに強く、以後弱くなっていく圧力情報を含む電気信号を集積することにより、立ち上がりは強くないが以後一定に近い安定した風速情報に擬する機能を発揮する。一方、ローパスフィルター回路は、高周波的な信号成分をカットして直流的な安定信号のみを通過させる機能を発揮する。なお、制御装置３０は、前述のフルート形成体１１の各キーからの信号も併せて制御可能に設けられ、前記再生装置からの再生音の音高や音程の調整も行えるようになっている。
【００２２】
前記連結部１７は、頭部管形成体１９を貫通するとともに、リッププレート１２の図２中左右両側にそれぞれ位置する一対の保持部材３２，３２と、これら保持部材３２，３２の同図中下部間を連結するとともに、頭部管形成体１９と略平行に延びるバー３３と、このバー３３に支持されて図１中左上方向に湾曲しながら延びるレール部材３４と、このレール部材３４の延出方向に沿って移動可能なスライダ３６と、このスライダ３６に支持されるとともに、前記案内部材１３を図１中紙面直交方向両側から挟み込む挟持部材３７とを備えている。レール部材３４とスライダ３６との間には、図示しないストッパが設けられ、このストッパにより、スライダ３６がレール部材３４に沿う任意の位置で移動規制される。従って、レール部材３４及びスライダ３６を介して案内部材１３の位置及び向きを変えることができ、ひいては、案内部材１３に対して吹奏し易く、且つ、呼気が案内部材１３内に良好に吹き込まれるよう、頭部管形成体１９や演奏者Ｐの唇と案内部材１３との相対位置や相対角度を調整可能となる。
【００２３】
以上の構成において、電気吹奏楽器１０を演奏する場合、案内部材１３の位置及び向きを調整した後、フルートと同様に吹奏を行えばよい。具体的には、リッププレート１２に下唇Ｐ１及びその周辺を当接し、下唇Ｐ１及び上唇Ｐ２から案内部材１３の第１の開口部２１を離した状態で、当該第１の開口部２１に向かって下唇Ｐ１及び上唇Ｐ２間から呼気を吹き込む。これにより、本体筒２０の内部、第２の開口部２２及び流通路１５を経て呼気が変換装置１６に流れ込む。ここで、本体筒２０は前述のようなメガフォン状をなすので、本体筒２０の内部に呼気が集まるに従って、その圧力が増大することとなり、第１の開口部２１の通過時における呼気の圧力より大きい圧力が変換装置１６に送出されることとなる。
【００２４】
従って、このような実施形態によれば、極めて簡単な構成により、演奏者Ｐの吹き出し直後の呼気の圧力を効率良く高め、変換装置１６によるセンシングの精度を向上させることができる。これにより、変換装置１６において、演奏者Ｐによる呼気の圧力変化に応じて電気信号の出力を簡単に変化させることが可能となり、安定感に優れた良好な音質の再生音が得られるという効果を得る。
【００２５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２６】
例えば、前記実施形態では、フルートに擬した形態や演奏方法を採用したが、これに代えて、バスフルート、アルトフルート、ピッコロ等の吹奏楽器と同様の吹奏により演奏を行える構成としてもよい。
【図面の簡単な説明】
【００２７】
【図１】実施形態に係る電気吹奏楽器を一部断面視した正面図。
【図２】図１の部分右側面図。
【符号の説明】
【００２８】
１０・・・電気吹奏楽器、１２・・・リッププレート、１３・・・案内部材、１６・・・変換装置、１７・・・連結部、１９・・・頭部管形成体、２０・・・本体筒、２１・・・第１の開口部、２２・・・第２の開口部、Ｐ・・・演奏者、Ｐ１・・・下唇、Ｐ２・・・上唇
【図１】
2007017524.tif 000003
【図２】
2007017524.tif 000004